(57)【特許請求の範囲】
【請求項１】
便鉢部と、
前記便鉢部の内壁面に設けられるリム通水路と、
前記内壁面の側方に設けられ、前記リム通水路に周方向に旋回する洗浄水を吐水するための吐水口と、
前記内壁面の下方に窪んで形成される凹部と、
前記凹部と前記リム通水路の間に形成される汚物受け面と、
を備え、
前記汚物受け面は、前記凹部の両側方において左右方向に沿って凸面により形成される両側方領域と、前記凹部の前方において前後方向に沿って凹面により形成される前方領域と、を含み、
前記前方領域は、その左右方向範囲が前記凹部の左右方向範囲を全て含むとともに、前記前方領域の前後方向範囲は、前記凹部の前後方向範囲に含まれる部分を有することを特徴とする水洗式便器。
【請求項２】
前記凹部の前方立壁の内、最前端部の高さが後方立壁の高さの１／２以下であることを特徴とする請求項１に記載の水洗式便器。
【請求項３】
前記便鉢部の上端には、内側にせり出すことにより、前記リム通水路を覆うオーバーハング部が形成され、
前記前方領域は、前記オーバーハング部の内縁より内側に位置することを特徴とする請求項１または２に記載の水洗式便器。
【請求項４】
前記リム通水路は、前記前方領域の外縁から棚状に延在する棚部と、前記棚部の外端から上側に延在する側壁面とを含んで区画され、
前記前方領域の前側の傾斜は前記棚部の傾斜より大きいことを特徴とする請求項１から３のいずれかに記載の水洗式便器。
【請求項５】
前記凹部の内筒面の後方側の立壁の上側から後方に延在する延伸棚部と、
前記延伸棚部の後縁から上側に延在する後方側壁面と、
前記延伸棚部と前記後方側壁面とに左右方向に延在する後方リム通水路と、
前記延伸棚部に向かって別の洗浄水を吐水する後方吐水口と、
をさらに備え、
中心軸に沿った距離において、前記後方側の立壁から前記後方吐水口の前側の端部までの距離は、前記後方吐水口の前記端部から前記後方側壁面までの距離より大きいことを特徴とする請求項１から４のいずれかに記載の水洗式便器。
【請求項６】
前記後方側の立壁から前記後方吐水口の前側の端部までの距離は、前記後方吐水口の前記端部から前記後方側壁面までの距離の３倍以上であることを特徴とする請求項５に記載の水洗式便器。
【発明の詳細な説明】
【技術分野】
【０００１】
本発明は、水洗式便器、特に、便鉢内に旋回水流を形成する水洗式便器に関する。
【背景技術】
【０００２】
水洗式便器においては、１以上の吐水口から便鉢部に洗浄水を吐出し、その洗浄水の勢いによって汚物を排水路管部に押し出す洗浄方式が知られている。以下、便器内部から汚物を排水路管部に押し出す力のことを「排出力」と表記することにする。また、便鉢部の内壁面に汚物の付着が残らないようにするため、便鉢部の内壁面を広域洗浄する水流も必要である。以下、便鉢内壁を洗う力のことを「洗浄力」と表記することにする。
【０００３】
洗浄力や排出力を強化するために、吐出口の数や位置、吐水方向、吐水タイミング、リム通水路を構成する部材等についてさまざまな研究がなされている。例えば、特許文献１には、ボウル部の左側に設けられる第１リム吐水部から吐水された洗浄水がボウル部の前方側から凹部に流入し、便鉢部の後方に設けられる第２リム吐水部から吐水された洗浄水が横方向から凹部に流入することによってボウル部内の浮遊系汚物を溜水内に沈めて排水路管部路内へ排出する水洗大便器が開示されている。
【先行技術文献】
【特許文献】
【０００４】
【特許文献１】特開２０１５−０６８１６４号公報
【発明の概要】
【発明が解決しようとする課題】
【０００５】
ところで、このような水洗便器には節水の要請に対応するために、吐水の水量を小さくすることが考えられる。しかし、吐水の水量を小さくすると、旋回水流から徐々に下向きに流れ落ちる落下水流の水量も小さくなり、便鉢内壁の汚物受け面に付着した紙や汚物などが残留する懸念がある。この場合、再度洗浄水を吐水して残留分を洗浄すると、節水の要請に反する結果になる。また、特許文献１の水洗大便器では、前方側汚物受け面は平坦に形成されているから、第１リム吐水部から吐水される洗浄水の旋回水流と落下水流の割合をコントロールすることは難しい。
落下水流の割合を増やすために、汚物受け面の前方領域の傾斜を大きくして汚物受け面の下側を深くすることが考えられる。しかし、この構成では凹部の前方立壁の高さが低くなり、凹部において縦旋回する洗浄水の汚物が汚物受け面に飛散しやすくなる懸念がある。
【０００６】
そこで今回は、便鉢の前方の広い領域で汚物受け面の各領域における曲面形状を調整することにより、洗浄水のうち前方立壁から凹部に流れ落ちる落下水流の割合を増やすことが課題であると認識した。
【０００７】
本発明は、上記課題に鑑みなされたものであり、その目的の一つは、洗浄水の旋回水流と落下水流のバランスのコントロールを可能とする水洗式便器を提供することである。
【課題を解決するための手段】
【０００８】
上記課題を解決するために、本発明のある態様の特徴とする水洗式便器は、便鉢部と、便鉢部の内壁面に設けられるリム通水路と、内壁面の側方に設けられ、リム通水路に周方向に旋回する洗浄水を吐水するための吐水口と、内壁面の下方に窪んで形成される凹部と、凹部とリム通水路の間に形成される汚物受け面と、を備える。汚物受け面は、凹部の両側方において左右方向に沿って凸面により形成される両側方領域と、凹部の前方において前後方向に沿って凹面により形成される前方領域と、を含み、前方領域は、その左右方向範囲が凹部の左右方向範囲を全て含むとともに、前方領域の前後方向範囲は、凹部の前後方向範囲に含まれる部分を有する。
【０００９】
この態様によると、汚物受け面に凹面により形成される前方領域を含むから、洗浄水のうち前方立壁から凹部に流れ落ちる落下水流の割合を増やすことができる。
なお、凹面は、両端より中央がへこんでいる面をいい、曲率が一定である面、曲率が徐々に変化する面及び曲率が部分的に変化する面を含む。凹面の曲率というときは、凹面内の平均の曲率をいうものとする。
【発明の効果】
【００１０】
本発明によれば、洗浄水の旋回水流と落下水流のバランスのコントロールを可能とする水洗式便器を提供することができる。
【図面の簡単な説明】
【００１１】
【図１】本実施の形態の水洗式便器の側断面図である。
【図２】図１の水洗式便器の上面視による端面図である。
【図３】汚物受け面の周辺の側断面の模式図である。
【図４】洗浄水の第１水流を説明する模式図である。
【図５】洗浄水の第２水流を説明する模式図である。
【図６】便鉢部の延伸棚部の周辺の上面図である。
【図７】便鉢部の延伸棚部の周辺の側断面の模式図である。
【図８】図３に対応する比較例の汚物受け面の側断面の模式図である。
【図９】図５に対応する比較例の水流を説明する模式図である。
【発明を実施するための形態】
【００１２】
以下、本発明を好適な実施の形態をもとに図１〜９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は本実施形態にかかる水洗式便器１００の側断面図であり、図２は、図１のＡ−Ａ線に沿った水平面で切断したときの水洗式便器１００の上面図である。Ａ−Ａ線は、主に後に説明するリム通水路１２０の側壁面１２６ａとオーバーハング部１１８の境界部に沿っている。
以下、図１等に示す様に、水洗式便器１００の前側から後部に向かう方向をＸ軸、高さ方向をＺ軸、左右方向をＹ軸と定める。Ｙ軸正方向を「左方向」、Ｙ軸負方向を「右方向」とする。
【００１４】
水洗式便器１００は、便器本体１０２、便座（不図示）、給水タンク（不図示）を有する。便座は、平面視（ｚ軸負方向）において環状の部材であり、ヒンジ（不図示）を介して便器本体１０２に開閉可能に取り付けられる。給水タンクは便器本体１０２などへ洗浄水を供給する。
【００１５】
便器本体１０２は、便鉢部１１０、排水路管部１１２、周壁部１１４を有する。便鉢部１１０は、内壁面１２６に、汚物を受け止めるための鉢状の汚物受け面１３０と、便鉢部１１０の周縁に設けられるリム部１１０ａと、リム部１１０ａに沿って形成されるリム通水路１２０と、汚物受け面１３０の下縁部から下方に窪んで形成される凹部１１６と、を有する。凹部１１６は有底筒状に形成され、その底部には封水部１１６ｅが設けられる。排水路管部１１２は、便鉢部１１０の下部に形成される。周壁部１１４は、便鉢部１１０や排水路管部１１２などの内部構造を遮蔽する。つまり、汚物受け面１３０はリム部１１０ａに連なり、凹部１１６とリム通水路１２０の間に形成される。汚物受け面１３０は凹部１１６の外側に形成される外側受面１０と、凹部１１６の内側に形成される内側受面３０と、を含む。
【００１６】
排水路管部１１２は、便鉢部１１０との接続部分においてＳ字状の封水部１１６ｅを形成する。封水部１１６ｅには、常時、滞留水が溜められており、これにより排水路管部１１２の臭いを遮断する。封水部１１６ｅに落ちた汚物は、滞留水とともに洗浄水によって外部に押し出される。
【００１７】
便鉢部１１０の上端には、内側にせり出すオーバーハング部１１８が形成される。オーバーハング部１１８の上面は、便座の支持面となるように平坦化されている。オーバーハング部１１８の下面と便鉢部１１０の汚物受け面１３０に連なる内壁のリム部１１０ａには、旋回水流の通り道となるリム通水路１２０が形成される。リム通水路１２０の外側面には側壁面１２６ａが設けられ、リム通水路１２０の下面には側壁面１２６ａの下側に棚状にせり出す棚部１２６ｂが設けられる。
【００１８】
図２は、便鉢部１１０にオーバーハング部１１８を重ね合わせて示しており、便器本体１０２の内壁面１２６とオーバーハング部１１８の関係を示す。また、便鉢部１１０の前後方向に延伸して、便鉢部１１０の外壁の左右方向範囲Ｌｘを左右に二等分する直線を中心軸Ｍ１と表記する。
【００１９】
便鉢部１１０は、第１隔壁１４２及び第２隔壁１４４と、内壁面１２６と、を備える。
第１隔壁１４２と第２隔壁１４４とは、内壁面１２６の平面または斜面から上側に延在して水路を区画する。第１隔壁１４２は、側方吐水口１２２の左側を区画すると共に、便鉢部１１０の外周の少なくとも前端側半分を囲み、後方吐水口１２４の前方側を区画する。第２隔壁１４４は、側方吐水口１２２の右側を区画すると共に、凹部１１６の後方側を囲み、後方吐水口１２４の後側を区画する。なお、第１隔壁１４２と第２隔壁１４４とは一部につながった部分を有する。
【００２０】
内壁面１２６は、便鉢部１１０の前後方向に延伸する中心軸Ｍ１に対して左側方から右側方にかけて設けられる。内壁面１２６には、側方吐水口１２２、後方吐水口１２４、リム通水路１２０、後方リム通水路１５０、凹部１１６、汚物受け面１３０及び延伸棚部１４０を備える。
【００２１】
側方吐水口１２２は、水洗式便器１００のリム部１１０ａを前端側から見て左側のリム導水路１２０ｃに形成され、リム通水路１２０に連続するように前方に向けて開口している。側方吐水口１２２はリム通水路１２０に前向きの洗浄水を吐水する。吐水された洗浄水はリム通水路１２０に沿って周方向に旋回する。後方吐水口１２４は内壁面１２６の後方に設けられ、後方リム通水路１５０に左向きの洗浄水を吐水する。吐水された洗浄水は後方リム通水路１５０に沿って周方向に旋回する。凹部１１６は便鉢部１１０の汚物受け面１３０の下縁部から下方に設けられる。延伸棚部１４０は凹部１１６の後方に設けられる。
【００２２】
リム通水路１２０は第１隔壁１４２の内側に沿って設けられる。特に、リム通水路１２０は、側方吐水口１２２から第１隔壁１４２に沿って第１隔壁１４２の右端１４２ｂまで周方向に延在する。リム通水路１２０は、側方吐水口１２２から反時計周りに汚物受け面１３０と凹部１１６とを囲むように設けられる。
【００２３】
リム通水路１２０の上部は、オーバーハング部１１８によって覆われる（図１も参照）。リム通水路１２０の外側には第１隔壁１４２に形成される側壁面１２６ａが設けられる。リム通水路１２０の下側には側壁面１２６ａの下側にせり出す棚部１２６ｂが設けられる。つまり、リム通水路１２０は、オーバーハング部１１８の下面、側壁面１２６ａ及び棚部１２６ｂに囲まれた領域である。
【００２４】
後方リム通水路１５０は第２隔壁１４４の内側に沿って設けられる。特に、後方リム通水路１５０は、後方吐水口１２４から第２隔壁１４４に沿って第２隔壁１４４の左端１４４ｂまで周方向に延在する。第２隔壁１４４は、凹部１１６の後方に略左右方向に延在する部分と凹部１１６の左方を斜め前向きに延在する部分との接続部にコーナー部１４４ｃを有する。特に、コーナー部１４４ｃは、凹部１１６の左後方において後方側壁面１２６ｇ（後述する）の曲率がその上流側及び下流側より大きい部分とその周辺をいう。後方リム通水路１５０は、後方吐水口１２４から反時計周りに汚物受け面１３０と凹部１１６とを囲むように設けられる。リム通水路１２０と後方リム通水路１５０には周方向に環状の洗浄水の旋回水流の流路が形成される。特に、後方リム通水路１５０とリム通水路１２０とは一部につながった部分を有する。
【００２５】
後方リム通水路１５０の上部は、オーバーハング部１１８によって覆われる（図１も参照）。後方リム通水路１５０の外側には第２隔壁１４４に形成される後方側壁面１２６ｇが設けられる。後方リム通水路１５０の下側には後方側壁面１２６ｇの下側にせり出す延伸棚部１４０が設けられる。つまり、後方リム通水路１５０は、オーバーハング部１１８の下面、後方側壁面１２６ｇ及び延伸棚部１４０に囲まれた領域である。
【００２６】
凹部１１６は中心軸Ｍ１上の便鉢部１１０の前後方向中心のやや後方に位置する。凹部１１６は、上面視で略楕円形状の内筒面１１６ａを有し、内筒面１１６ａの途中に滞留水の溜水面が形成される。
【００２７】
内壁面１２６の凹部１１６の周囲の領域には汚物を受け止めるための汚物受け面１３０が設けられる。図３は、汚物受け面１３０の周辺の図２のＢ−Ｂ線に沿った側断面の模式図である。汚物受け面１３０には、リム通水路１２０から封水部１１６ｅに向かって汚物受け面１３０の後述する前方領域１０ｎと、凹部１１６と、が連設される。凹部１１６には、前方領域１０ｎより傾斜が急な前方立壁２０と、前方立壁２０より傾斜が緩やかな内側受面３０と、が設けられる。特に、前方領域１０ｎは、棚部１２６ｂの内側から凹部１１６に向かって延在する。前方立壁２０は前方領域１０ｎの下流側から下側に延在する。内側受面３０は前方立壁２０の下流側から封水部１１６ｅに向かって延在する。
【００２８】
汚物受け面１３０には、凹部１１６の両側方において左右方向に沿って凸面により形成される両側方領域１０ｈ、１０ｍと、凹部１１６の前方において前後方向に沿って凹面により形成される前方領域１０ｎと、を含む。前方領域１０ｎの凹面には、前方側の傾斜大部４０と、後方側に傾斜大部４０より傾斜が小さい傾斜小部４２と、が中心軸Ｍ１を跨ぐ略扇状に形成される（図２も参照）。棚部１２６ｂと傾斜大部４０の境界には稜線部１２６ｋが形成される。傾斜大部４０と傾斜小部４２の境界には谷線部１２６ｊが形成される。傾斜大部４０については後に詳述する。
【００２９】
理解を容易にするため、先に水流について説明する。
図４は便鉢部１１０の内壁面１２６における第１水流１６０の主な流れを示す模式図である。側方吐水口１２２から吐出される洗浄水は第１水流１６０を形成する。第１水流１６０は、リム通水路１２０に吐水され、リム通水路１２０を反時計回りに旋回する。第１水流１６０の一部は、リム通水路１２０を旋回する旋回水流１６２を形成する。
【００３０】
旋回水流１６２は、汚物受け面１３０から凹部１１６に入り大きく旋回しながら上面視で反時計回りの渦１６４に導かれる。渦１６４はその回りから汚物を巻き上げて封水部１１６ｅに誘導し、最終的にその汚物と共に排水路管部１１２から排出される。このようにして、旋回水流１６２は、便鉢部１１０の内壁面１２６を広く洗浄すると共に汚物の排出力を提供する。
【００３１】
第１水流１６０の一部は、旋回水流１６２から内側に分流し徐々に下向きに流れ落ちる落下水流１６６を形成する。落下水流１６６は棚部１２６ｂから前方領域１０ｎを辿りながら凹部１１６に落下する。前方領域１０ｎを流れ前方立壁２０から凹部１１６に落下した落下水流１６６は凹部１１６に形成された渦を上下方向に縦旋回させる。また、落下水流１６６は、凹部１１６の封水部１１６ｅの内筒面１１６ａに沿って下向きに流れ、渦１６４を下側の排水路管部１１２に誘導する。つまり、渦１６４は反時計回りに横旋回しながら縦旋回もする立体的な運動をする。図４では旋回水流１６２と落下水流１６６が交差するように描いているが、実際はこれらは合流して一体に運動する。
【００３２】
落下水流１６６は、便鉢部１１０の汚物受け面１３０を広く洗浄し、汚物受け面１３０に受け入れた汚物を凹部１１６に誘導し、最終的に封水部１１６ｅを通じて排水路管部１１２から排出する。また、落下水流１６６は、渦１６４の上側に浮き上がった汚物を下側の排水路管部１１２に押し込み排水路管部１１２から排出する。つまり、落下水流１６６は渦１６４中に浮遊する汚物を下側に押し込む押し込み力を生じる。
【００３３】
旋回水流１６２が多いと、渦１６４が過度に高く巻き上がることがある。渦１６４が過度に高く巻き上がと、渦の押し込み力が弱くなることがある。落下水流１６６は、前方領域１０ｎから前方立壁２０に沿って下向きに流れ込むことによって、縦旋回を生じ、渦１６４の巻き上げ高さを抑制する。したがって、落下水流１６６が減少すると、押し込み力が低下して旋回水流１６２が生成する渦１６４のコントロールが不十分になる懸念がある。つまり、渦１６４をコントロールするためには落下水流１６６の量を増やし、落下水流１６６が前方領域１０ｎから前方立壁２０の広い領域で前方から凹部１１６に落下することが望ましい。
【００３４】
次に、前方領域１０ｎの傾斜大部４０について説明する。図８（ａ）は比較例２００の図３に対応する側断面の模式図である。比較例２００は、前方領域２１０の形状が異なる他は水洗式便器１００と同じである。前方領域２１０は、上流側の傾斜が小さく下流側に向かって傾斜が大きくなる凸面を有している。前方領域２１０の落下水流は前方領域１０ｎの落下水流より少ないことが考えられる。
【００３５】
図８（ｂ）は比較例３００の図３に対応する側断面の模式図である。比較例３００は、前方領域３１０の形状が異なる他は水洗式便器１００と同じである。前方領域３１０は、上流側から下流側に亘って一定の傾斜の平坦な面を有している。前方領域３１０の落下水流は、前方領域２１０の落下水流より多く、前方領域１０ｎの落下水流より少ないことが考えられる。
【００３６】
図８（ｃ）は比較例４００の図３に対応する側断面の模式図である。比較例４００は、前方領域４１０と前方立壁４２０の形状が異なる他は水洗式便器１００と同じである。前方領域４１０は前方領域３１０より急な傾斜の平坦な面を有している。前方領域４１０の落下水流は、前方領域３１０の落下水流より多く、前方領域１０ｎの落下水流より少ないことが考えられる。
【００３７】
また、この場合、前方領域４１０の下端の位置が低くなるから、その分だけ前方立壁４２０の高さが低くなる。この場合、渦１６４の高さが一定であっても、渦１６４の上側が前方領域４１０に対して相対的に高くなり、渦１６４の内包物が前方領域４１０に飛散して残留する可能性が高くなる。
【００３８】
これに対して、本実施の形態の水洗式便器１００では、前方領域１０ｎは、上流側の傾斜大部４０と下流側の傾斜小部４２とを含み、前後方向に沿って凹面により形成されている。上流側の傾斜大部４０の傾斜は下流側の傾斜小部４２の傾斜より大きくされる。
【００３９】
前方領域１０ｎの凹面によって第１水流１６０のうち落下水流１６６の割合を増やすと共に、前方立壁２０の高さを高く維持することができる。つまり、前方領域１０ｎを設けることにより洗浄水の旋回水流１６２と落下水流１６６のバランスをコントロールすることが可能になる。
【００４０】
前方領域１０ｎの左右方向範囲が狭いと、落下水流１６６の押し込み力が十分に得られないことが考えられる。前方領域１０ｎは、その左右方向範囲４０ｄが凹部１１６の左右方向範囲１１６ｄを含むようにしてもよい（図２も参照）。特に、左右方向において前方領域１０ｎの左端４０ｂは凹部１１６の左端１１６ｂより左側に位置し、前方領域１０ｎの右端４０ｃは凹部１１６の右端１１６ｃより右側に位置している（図２も参照）。
【００４１】
特に、前方領域１０ｎの左右方向範囲４０ｄは封水部１１６ｅの左右方向範囲１１６ｅｅの２倍以上であってもよい。本実施の形態の水洗式便器１００では、前方領域１０ｎの左右方向範囲４０ｄは１７０ｍｍ〜２００ｍｍの範囲とし、封水部１１６ｅの左右方向範囲は８０ｍｍ〜９０ｍｍの範囲としている。この構成によって、前方領域１０ｎの範囲を一層広くして落下水流１６６の割合を増すことができる。
【００４２】
棚部１２６ｂの傾斜を前方領域１０ｎの傾斜と同一にすることが考えられる。この場合、前方領域１０ｎの傾斜を大きくすると、棚部１２６ｂの傾斜も大きくなる。棚部１２６ｂの傾斜が過大になると、第１水流１６０のうち落下水流１６６の割合が過大になることがある。これに対して本実施の形態の水洗式便器１００では、棚部１２６ｂの傾斜は前方領域１０ｎの傾斜より小さくされる。特に、前方領域１０ｎと棚部１２６ｂの境界には稜線部１２６ｋが形成される。この結果、棚部１２６ｂの傾斜を調整することによって前方立壁２０から落下する落下水流１６６の割合をコントロールすることができる。
【００４３】
棚部１２６ｂと前方領域１０ｎとは一方の前後方向の幅を大きくすると他方の前後方向の幅が小さくなる関係にある。棚部１２６ｂの幅を小さくすることも考えられるが、この場合、第１水流１６０のうち落下水流１６６の割合が過度に大きくなることがある。これに対して本実施の形態の水洗式便器１００では、棚部１２６ｂと前方領域１０ｎの境界は、オーバーハング部１１８の内縁１２８より内側（図２において後側）に位置する。この結果、棚部１２６ｂの幅を調整することによって前方立壁２０から落下する落下水流１６６の割合をコントロールすることができる。
【００４４】
図１に戻り、前方立壁２０の形状を説明する。前方立壁２０が高いと、汚物受け面１３０の前方領域１０ｎも高くなるから、汚物の跳ね返りが増える懸念があり、また、使用者に対して圧迫感を与える恐れもある。これに対して、本実施の形態の水洗式便器１００では、凹部１１６の前方立壁の内、最前端部２０ａの高さＨｆが後方立壁の高さＨｒの１／２以下に形成される。この構成により、前方立壁２０が低いから、汚物受け面１３０の前方領域１０ｎも低く深くすることができます。また、渦１６４の縦旋回が汚物受け面１３０に飛散しやすくなるから、前方からの渦１６４の抑えがより効果的になります。
【００４５】
次に、図３、図５から図７及び図９を参照して延伸棚部１４０について説明する。
延伸棚部１４０は、凹部１１６の内筒面１１６ａの後方立壁１１６ａａの上側から後方に延在する（図３を参照）。延伸棚部１４０の後縁から上側に後方側壁面１２６ｇが延在する。延伸棚部１４０の後部の上部は、オーバーハング部１１８によって覆われる。延伸棚部１４０の後部と後方側壁面１２６ｇとには後方リム通水路１５０が左右方向に延在する。延伸棚部１４０の右側には後方吐水口１２４が設けられる。
【００４６】
図５は便鉢部１１０の内壁面１２６における第２水流１７０の主な流れを示す模式図である。後方吐水口１２４は延伸棚部１４０の後部において左向きの第２水流１７０を吐水する。延伸棚部１４０に吐水された第２水流１７０は、後方リム通水路１５０を旋回する旋回水流１７２を形成する。
【００４７】
旋回水流１７２は後方リム通水路１５０を反時計回りに旋回する。旋回水流１７２の一部はコーナー部１４４ｃに衝突して徐々に減速して内側に分流して分流１７４を形成する。分流１７４の多くは内筒面１１６ａの左方側の左方立壁１１６ａｂを伝って、凹部１１６に流れ落ちる落下水流１７６を形成する（図５を参照）。
【００４８】
旋回水流１７２は、旋回しながら旋回水流１６２と合流して渦１６４を形成する。凹部１１６に落下した落下水流１７６は、落下水流１６６と同様に、渦１６４に縦旋回を生じさせ、渦１６４の高さを抑制し、渦１６４の上側に浮き上がった汚物を下側の排水路管部１１２に押し込み排水路管部１１２から排出する。つまり、左方立壁１１６ａｂから凹部１１６に流れ落ちる落下水流１７６を調整することによって渦１６４をコントロールすることができる。
【００４９】
図９は、図５に対応する比較例５００の水流を説明する模式図である。比較例５００は、水洗式便器１００に対して、後方側壁面１２６ｇをより前側に配置しており、延伸棚部１４０の前後方向の幅が小さい。つまり、比較例５００は、凹部１１６の後方立壁１１６ａａとの前後方向の距離が短く、他の構成は水洗式便器１００と同様である。
【００５０】
比較例５００では、前後方向において、第２隔壁１４４の左上のコーナー部１４４ｃが凹部１１６に近いから、旋回水流１７２がコーナー部１４４ｃに衝突した後に生じる分流１７４の多くは凹部１１６の左横を通り過ぎて前側に至り、左方立壁１１６ａｂから凹部１１６に流れ落ちる落下水流１７６の割合は少なくなる。この結果、左方立壁１１６ａｂから凹部１１６に落下する落下水流１７６が不足して、旋回水流１６２及び旋回水流１７２が生成する渦１６４の縦旋回が弱くなり、渦１６４のコントロールが不十分になる懸念がある。
【００５１】
これに対して、本実施の形態の水洗式便器１００は、後方側壁面１２６ｇをより後方に配置して、延伸棚部１４０の前後方向の幅を大きくすることによって、渦１６４のコントロールの余地を大きくしている。
【００５２】
図６は便鉢部１１０の延伸棚部１４０の周辺の上面図である。図７は便鉢部１１０の延伸棚部１４０の周辺の側断面の模式図である。本実施の形態の水洗式便器１００では、中心軸Ｍ１に沿った距離において、凹部１１６の後方立壁１１６ａａから後方吐水口１２４の前側の端部１２４ｂまでの距離Ｘ２は、後方吐水口１２４の前側の端部１２４ｂから後方側壁面１２６ｇまでの距離Ｘ１より大きい。距離Ｘ２が距離Ｘ１より小さい場合に比べて延伸棚部１４０の前後方向の幅を大きくできる。この結果、左方立壁１１６ａｂから凹部１１６に落下する落下水流１７６の割合を増やし、渦１６４のコントロールが容易になる。
【００５３】
特に、距離Ｘ２は距離Ｘ１の３倍以上にしてもよい。水洗式便器１００では、一例として、距離Ｘ２は５０ｍｍ〜９０ｍｍの範囲とし、距離Ｘ１は１０ｍｍ〜３０ｍｍの範囲としている。渦１６４のコントロールが一層容易になる。なお、距離Ｘ２が過度に大きいと落下水流１７６のコントロールが困難になる懸念がある。距離Ｘ２が距離Ｘ１の１０倍以下の範囲では、落下水流１７６はコントロール可能であった。
【００５４】
本実施の形態の水洗式便器１００の特徴を説明する。
渦１６４が巻き上げた汚物の飛散を抑制するために前方立壁２０を高くすることが考えられる。この場合、前方領域１０ｎの部分で便鉢部１１０が浅くなるから、汚物の跳ね返りが増える懸念があり、また、使用者に対して圧迫感を与える恐れもある。これに対して、本実施の形態の水洗式便器１００は、前方領域１０ｎに傾斜大部４０を含むことによって、落下水流１６６を増やし渦１６４の高さを抑制するから、前方立壁２０の高さを抑制することができる。
【００５５】
また、水洗式便器１００は、前方領域１０ｎの左右方向範囲が凹部１１６の左右方向範囲を含むから、前方領域１０ｎの範囲を広くして落下水流１６６を一層増やすことができる。
【００５６】
また、水洗式便器１００は、前方領域１０ｎがオーバーハング部１１８の内縁より内側に位置するから、棚部１２６ｂの幅を大きくして過度な落下水流１６６の増加を抑制できる。
【００５７】
また、水洗式便器１００は、前方領域１０ｎの前側の傾斜が棚部１２６ｂの傾斜より大きいから、棚部１２６ｂの傾斜を小さくして落下水流１６６を減らすことと、前方領域１０ｎの傾斜を大きくして落下水流１６６を増やすことと、の両方の調整が可能になる。このため、旋回水流１６２と落下水流１６６とのバランスをコントロールすることが容易になる。
【００５８】
また、水洗式便器１００は、後方側の後方立壁１１６ａａから後方吐水口１２４の前側の端部１２４ｂまでの距離Ｘ２は、後方吐水口１２４の端部１２４ｂから後方側壁面１２６ｇまでの距離Ｘ１より大きいから、旋回水流１７２の旋回長さを長くして落下水流１７６の割合を調整できる。
【００５９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００６０】
本発明の実施の形態では、前方領域の傾斜が傾斜大部と傾斜小部の境界で変化する例について説明したが、これに限られない。前方領域は傾斜大部から傾斜小部に亘って徐々に傾斜が変化する形状にされてもよい。一例として、前方領域は傾斜大部から傾斜小部にかけて曲面状に形成されてもよい。
【００６１】
本発明の実施の形態では、吐水口が便鉢部の左方に設けられ反時計回りの旋回水流を生成する例について説明したが、これに限られない。例えば右方に設けられて時計回りの水流を生成してもよい。
【符号の説明】
【００６２】
１０  外側受面、  １０ｄ  左右方向範囲、  ２０  前方立壁、
２０ａ  最前端部、  ３０  内側受面、  ４０  傾斜大部、
４０ｄ  左右方向範囲、  ４２  傾斜小部、  １００  水洗式便器、
１０２  便器本体、  １１０  便鉢部、  １１０ａ  リム部、
１１２  排水路管部、  １１４  周壁部、  １１６  凹部、
１１６ａ  内筒面、  １１６ａａ  後方立壁、  １１６ｂ  左端、
１１６ｃ  右端、  １１６ｄ  左右方向範囲、  １１６ｅ  封水部、
１１８  オーバーハング部、  １２０  リム通水路、
１２０ｃ  リム導水路、  １２２  側方吐水口、  １２４  後方吐水口、
１２４ｂ  端部、  １２６  内壁面、  １２６ａ  側壁面、
１２６ｂ  棚部、  １２６ｇ  後方側壁面、  １２６ｊ  谷線部、
１２６ｋ  稜線部、  １３０  汚物受け面、  １４０  延伸棚部、
１４２  第１隔壁、  １４２ｂ  右端、  １４４  第２隔壁、
１４４ｂ  左端、  １４４ｃ  コーナー部、  １５０  後方リム通水路、
１６０  第１水流、  １６２  旋回水流、  １６４  渦、
１６６  落下水流、  １７０  第２水流、  １７２  旋回水流、
１７６  落下水流、  Ｍ１  中心軸。
【図１】
0006616125.tif 000002
【図２】
0006616125.tif 000003
【図３】
0006616125.tif 000004
【図４】
0006616125.tif 000005
【図５】
0006616125.tif 000006
【図６】
0006616125.tif 000007
【図７】
0006616125.tif 000008
【図８】
0006616125.tif 000009
【図９】
0006616125.tif 000010